(57)【要約】【課題】着座面の中空体天板部にお湯が容易に接触して腰掛け用座面を確実に温め、また洗い流し湯を中空体内へ入り難くし、さらに中空部内に溜めたお湯を使用後に流さなくても、使い終わった後、排出口から自律的に流れる風呂用椅子を提供する。【解決手段】腰掛け用座面２６ａを備え且つお湯用注入口３４０を設けた湯溜め用中空体１が脚部５に支持された風呂用椅子において、中空体１の後方立板部２４を座面２６ａよりも上方へ延在し、後方立板部２４側の中空体１を盛り上げて隆起中空部３を設け、且つ後方立板部２４から上方へ延在させた後方隆起立板部３４に係る上部域に注入口３４０を形成し、さらに中空体１を構成する下板部２２に排出口２２０を形成すると共に、排出口２２０を開け閉めできる蓋具４を設け、且つ注入口３４０を形成する後方隆起立板部３４の開口上縁部分に後方へ向けて下方傾斜する庇３７を設けた。【選択図】図３
2019122658.tif 000002
【特許請求の範囲】
【請求項１】
腰掛け用座面を備え且つお湯用注入口を設けた湯溜め用中空体が脚部に支持された風呂用椅子において、
前記中空体の後方立板部を前記座面よりも上方へ延在し、後方立板部側の中空体を盛り上げて隆起中空部を設け、且つ前記後方立板部から上方へ延在させた後方隆起立板部に係る上部域に前記注入口を形成し、さらに前記中空体を構成する下板部に排出口を形成すると共に、該排出口を開け閉めできる蓋具を設け、且つ前記注入口を形成する前記後方隆起立板部の開口上縁部分に後方へ向けて下方傾斜する庇を設けたことを特徴とする風呂用椅子。
【請求項２】
前記蓋具が、前記下板部上に設けた取付部材に固着され、且つ少なくとも主要部をバイメタルで形成する変位部材と、該変位部材に固着された栓体を具備し、設定温度以下で前記栓体が前記排出口から離れた状態にして、設定温度を超えると前記バイメタルの曲がり方が変化して前記栓体が前記排出口を塞ぐようにした請求項１記載の風呂用椅子。
【請求項３】
前記下板部が前記排出口に向けてすり鉢状に凹み、且つ前記注入口を形成する前記後方隆起立板部の開口下縁部分に、前記隆起中空体内の前方に向けて上方傾斜する舌片状のガイド部が設けられた請求項１又は２に記載の風呂用椅子。
【請求項４】
前記取付部材が梁部の両端から支柱部を垂下させた正面視冂字状の門型形状にして、両支柱部の下端が前記排出口を跨いで前記下板部上に固着される一方、前記変位部材が、主要部にバイメタルで形成した正面視⊃字状部と正面視⊂字状部とを備え、且つ該正面視⊃字状部の下先端に該正面視⊂字状部の上先端を接続して繰り返し形成されたジャバラ状体を有し、さらに前記梁部の下面に該ジャバラ状体の上面側が固着されると共に該ジャバラ状体の下端面側に前記栓体が前記排出口に対向するようにして固着された請求項２又は３に記載の風呂用椅子。
【発明の詳細な説明】
【技術分野】
【０００１】
本発明は浴室で使用される風呂用椅子に関する。
【背景技術】
【０００２】
冬場になると、浴室で風呂用椅子が冷たく、使用しづらい問題がある。湯をかけてもすぐに冷えるので、やむなく冷たい状態での使用となり高齢者等には辛かった。こうした問題を解消すべく、腰掛け用座面を備え且つお湯用注入口を設けた湯溜め用中空体が脚部に支持された風呂用椅子がいくつか提案されている（例えば特許文献１〜３）。
【先行技術文献】
【特許文献】
【０００３】
【特許文献１】特開２０１６−９３４６２号公報
【特許文献２】特開昭６１−２３２８２４号公報
【特許文献１】実開平７−１８６号公報
【発明の開示】
【発明が解決しようとする課題】
【０００４】
しかるに、特許文献１の風呂椅子は底板にお湯の取り込み口を設けている。そのため、該取り込み口からお湯を入れた後、ひっくり返して使用すると、着座場所の裏面とお湯面との間に熱伝導率小の空気が入り込み、着座場所を保温することが難しくなる。特許文献２はその請求項に記載のごとく「…前記天板の上面から前記湯溜用空洞部内に開口して設けた注湯口とを備えた風呂用椅子。」で、体を洗い流すと、その流し湯が注湯口から湯溜用空洞部内へ入り込んでしまう。特許文献３も体を洗い流すと、その流し湯が注湯口から容器（本発明では中空体）内に入り込んで内部が汚れ易くなる。そして、湯溜用空洞部内の清掃が困難になっている。
さらに、特許文献１〜３は、お湯の取り込み口や注湯口が排出口でもあり、風呂用椅子を使用した者は、使い終わった後、湯溜用空洞部内のお湯を流す作業を行わねばなかった。忘れると、湯溜用空洞内のぬるま湯が残って不衛生になる問題があった。
【０００５】
本発明は、上記問題を解決するもので、着座面の中空体天板部にお湯が容易に接触して腰掛け用座面を確実に温め、また洗い流し湯を中空体内へ入り難くし、さらに中空部内に溜めたお湯を使用後に流さなくても、使い終わった後、排出口から自律的に流れる風呂用椅子を提供することを目的とする。
【課題を解決するための手段】
【０００６】
上記目的を達成すべく、請求項１に記載の発明の要旨は、腰掛け用座面を備え且つお湯用注入口を設けた湯溜め用中空体が脚部に支持された風呂用椅子において、前記中空体の後方立板部を前記座面よりも上方へ延在し、後方立板部側の中空体を盛り上げて隆起中空部を設け、且つ前記後方立板部から上方へ延在させた後方隆起立板部に係る上部域に前記注入口を形成し、さらに前記中空体を構成する下板部に排出口を形成すると共に、該排出口を開け閉めできる蓋具を設け、且つ前記注入口を形成する前記後方隆起立板部の開口上縁部分に後方へ向けて下方傾斜する庇を設けたことを特徴とする風呂用椅子にある。
請求項２の発明たる風呂用椅子は、請求項１で、蓋具が、前記下板部上に設けた取付部材に固着され、且つ少なくとも主要部をバイメタルで形成する変位部材と、該変位部材に固着された栓体を具備し、設定温度以下で前記栓体が前記排出口から離れた状態にして、設定温度を超えると前記バイメタルの曲がり方が変化して前記栓体が前記排出口を塞ぐようにしたことを特徴とする。請求項３の発明たる風呂用椅子は、請求項１又は２で、下板部が前記排出口に向けてすり鉢状に凹み、且つ前記注入口を形成する前記後方隆起立板部の開口下縁部分に、前記隆起中空体内の前方に向けて上方傾斜する舌片状のガイド部が設けられたことを特徴とする。請求項４の発明たる風呂用椅子は、請求項２又は３で、取付部材が梁部の両端から支柱部を垂下させた正面視冂字状の門型形状にして、両支柱部の下端が前記排出口を跨いで前記下板部上に固着される一方、前記変位部材が、主要部にバイメタルで形成した正面視⊃字状部と正面視⊂字状部とを備え、且つ該正面視⊃字状部の下先端に該正面視⊂字状部の上先端を接続して繰り返し形成されたジャバラ状体を有し、さらに前記梁部の下面に該ジャバラ状体の上面側が固着されると共に該ジャバラ状体の下端面側に前記栓体が前記排出口に対向するようにして固着されたことを特徴とする。
【発明の効果】
【０００７】
本発明の風呂用椅子は、簡便に着座面の中空体天板部へお湯が接して腰掛け用座面を確実に温め、また洗い流し湯を中空体内へ入り難い構成にして、さらに中空部内に溜めたお湯を使用後に特に流さなくても、しばらくすると自然と流れるようにできるなど優れた効果を発揮する。
【図面の簡単な説明】
【０００８】
【図１】本発明の風呂用椅子の一形態で、その全体斜視図である。
【図２】図１とは別角度から見た風呂用椅子の全体斜視図である。
【図３】図２のIII-III線矢視断面図である。
【図４】図３の蓋具周りの拡大図である。
【図５】図４の状態から温度上昇でジャバラ状体が伸長した時の変化図である。
【図６】図４のジャバラ状体の部分拡大図である。
【図７】図４に代わる他態様の蓋具周りの拡大図である。
【図８】図１〜図７の蓋具に代わる他態様の蓋具の説明断面図である。
【図９】図１〜図８の蓋具に代わる別態様の蓋具の平面図である。
【発明を実施するための形態】
【０００９】
以下、本発明に係る風呂用椅子について詳述する。
図１〜図７は本発明の風呂用椅子の一形態で、図１,図２はその全体斜視図、図３は図２のIII-III線矢視断面図、図４は図３の蓋具周りの拡大図、図５は図４の状態から温度上昇でジャバラ状体が伸長した時の変化図、図６はジャバラ状体の部分拡大図、図７は図４に代わる他態様の蓋具周りの拡大図、図８は他態様の蓋具の説明断面図、図９は別態様の蓋具の平面図を示す。尚、図面を判り易くするため、発明要部を強調図示し、また本発明に直接関係しない構成部分や部材等は省略する。
【００１０】
風呂用椅子は、湯溜め用中空体１と蓋具４と脚部５とを具備する(図１〜図６)。腰掛け用座面２６ａを備え、且つお湯用注入口３４０に加えて排出口２２０を設けた湯溜め用中空体１が脚部５に支持された風呂用座り椅子である。中空体１は平面視略矩形の湯溜め用空洞体で、その下面側四隅から下方に四本の脚部５が延びる。本発明でいう「下方」とは、本風呂用椅子を人(使用者８)が使用する状態下にある図３で、紙面下方をいい、「上方」は紙面上方、「前方」は紙面右方、「後方」は紙面左方をいう。
【００１１】
中空体１は、座面２６ａを有して前方側メインの中空主部２と、中空体１の後方に位置し、後方立板部２４を座面２６ａよりも上方へ延在させて空洞１０を高くする隆起中空部３と、を備える。後方立板部２４を座面２６ａよりも上方へ延在し、後方立板部２４側の中空体１を盛り上げて隆起中空部３を設ける。図１ごとくの側面視Ｌ字状の湯溜め用空洞体である。隆起中空部３は平面視矩形の中空体１のなかで後方部が隆起して有蓋筒状部３Ａを形成する。後方立板部２４が座面２６ａよりも上方へそのまま延在して後方隆起立板部３４になる。符号３５は有蓋筒状部３Ａの有蓋に相当する頂板部を示す。中空主部２の上面にあたる前方側の座面２６ａは大人が着座する大きさを有する。該座面２６ａの後縁で天板部２６が屈曲して、座面２６ａよりも上方に延在する隆起中空部３の前方隆起立板部３３は、着座した使用者８に係る臀部８１の背面８１１側が当たるほどの高さがある(図３)。
【００１２】
隆起中空部３を構成する後方隆起立板部３４に係る上部域には、図２ごとくの略水平で横長矩形のお湯用注入口３４０が設けられる。注入口３４０を形成する後方隆起立板部３４の開口上縁部分に後方へ向けて下方傾斜する庇３７が設けられる。一方、注入口３４０を形成する後方隆起立板部３４の開口下縁部分には、隆起中空部３内の前方に向けて上方傾斜する舌片状のガイド部３８が設けられている(図３)。
また、中空体１を構成する下板部２２の中央には、図４のような下方に向け円孔径が小さくなる排出口２２０が設けられる。
【００１３】
本実施形態の中空体１は、図３のごとく、下板部２２を中空体１の本体たる他の下面開口本体部分と別体構成にして、取り外すことができる。下面開口本体部分の開口寄り内周縁沿いに内鍔２１が内方(空洞１０側)へ向けて突出する。図３は前方立板部２３と後方立板部２４との内鍔２１を図示するが、該内鍔２１は側方立板部２５にも存在し、環状形成される。下板部２２の外周縁沿いに所定ピッチで形成したネジ孔にビス等の止具２９を挿通し、環状パッキンＰを介在させて下板部２２を内鍔２１にあてがった後、止具２９を内鍔２１に設けた孔に螺着して、注入口３４０,排出口２２０を有する中空体１が形成される。下板部２２が取り外せることから、中空体１内面の掃除がし易くなっている。
【００１４】
蓋具４は排出口２２０を開け閉めできる開閉具である。例えば、排出口２２０に着脱自在に封をする栓部材４Ａ(図８のイ)、又は排出口２２０をノズル孔にして、下板部２２に突出させた該ノズル孔に係るノズルに着脱自在に封をするゴム製キャップ等の蓋部材４Ｂ(図８のロ)だけでも足りる。ただ、斯かる場合は封をするのに、人の手を借りることになる。これに対し、本実施形態は取付部材４１と変位部材４２と栓体４５とを具備して、排出口２２０に栓体４５で封をした状態から、人の手を借りずに温度が下がれば栓体４５が自動的に排出口２２０から離れるようにしている。具体的には、下板部２２上に取付部材４１に固着され、主要部にバイメタルで形成する変位部材４２と、該変位部材４２に固着された栓体４５を具備し、設定温度以下で栓体４５が排出口２２０から離れた状態にセットして、設定温度を超えると前記バイメタルの曲がり方が変化して栓体４５が自律的に前記排出口２２０を塞ぐ構成とする。
【００１５】
詳しくは、図４のように取付部材４１を、梁部４１１の両端から支柱部４１２４１２を垂下させた剛性がある正面視冂字状の門型形状とする。両支柱部４１２の下端が排出口２２０を跨いで下板部２２上に固着される。そして、変位部材４２は、主要部をバイメタルで形成した正面視⊃字状部４２ａと正面視⊂字状部４２ｂで構成する。変位部材４の主構成が正面視⊃字状部４２ａの下先端に正面視⊂字状部４２ｂの上先端を接続して、これらを複数繰り返し形成したジャバラ状体４２Ａになる。ジグザグ状に繰り返し形成したジグザグ状体でもある。⊃字状部４２ａや⊂字状部４２ｂは、図６のように内側にある熱膨張係数大の金属製帯板部材４２１と外側に熱膨張係数小の金属製帯板部材４２２とを貼着一体化させた正面視Ｕ字状の単位ユニットである。ここでは、⊃字状部４２ａと⊂字状部４２ｂとをつないで繰り返し形成した一対のジャバラ状体４２Ａを、図４のごとく線対称で離間させ、且つ離間部分が熱膨張係数小の金属製接続板部材４２ｃで連結された変位部材４２とする。該ジャバラ状体４２Ａを組込んだ変位部材４２及び前記取付部材４１は図４の紙面垂直方向に略等断面形状になっている。
【００１６】
斯かる変位部材４２は、略水平状態にある接続板部材４２ｃの上面中央(ジャバラ状体４２Ａの上面側)が、梁部４１１の下面に、接合材４３で固着される。また該変位部材４２の略水平状態にある接続板部材４２ｃの下端面中央(ジャバラ状体４２Ａの下端面側)に円錐台形の栓体４５が前記排出口２２０に対向するようにして固着される。温度が例えば25℃の設定温度になると、図４のごとく排出口２２０から栓体４５が離れて、中空体１内に注がれていたお湯９が排出口２２０から流れ出る。一方、例えば42℃ほどのお湯９が入って温度が上がり、前記設定温度25℃を超えると、バイメタルの曲がり方が変化する。温度上昇すると、熱膨張係数大の帯状部材４２１の方がよく伸びるため、図６の矢印のごとく熱膨張係数小の帯板部材４２２の側へ曲がる。その結果、ジャバラ状体４２Ａを備えた変位部材４２が上下方向に伸長するが、変位部材４２,ジャバラ状体４２Ａの上面側が梁部４１１で規制されているので栓体４５が下降し、図５のように排出口２２０を塞ぐことになる。ゴム製栓体４５が排出口２２０に挿着して、該排出口２２０を封止する。
【００１７】
ここで、前記排出口２２０は図３〜図６のごとく平坦な下板部２２に設けているが、図７のように下板部２２の空洞１０側内面を排出口２２０に向けてすり鉢状に凹む構造にすると、風呂用椅子を使用するために中空体１に溜めたお湯９を、使用後に綺麗に抜き去ることができ、より好ましい風呂用椅子となる。尚、図７は、記設定温度25℃を超えるお湯９が中空体１内に入ると変位部材４２が伸長し、ゴム製栓体４５が、排出口２２０を囲うようにその周りの下板部２２に当接シールして、排出口２２０からのお湯９の流出を塞いでいる。
【００１８】
脚部５は、その上端が前記中空体１の下面に一体化される足部であり、ここでは中空体１の下面側四隅で下方側から四本の棒状脚部５が受け支える。風呂用椅子の使用に際し、中空体１に係る中空主部２の座面２６ａに腰を下ろす使用者８が、楽に腰掛けられる高さになるよう脚部５の長さが設定される。本実施形態は、下板部２２の下面側四隅にボス２２５をそれぞれ形成し、各ボス穴２２５０に別体の脚部５の先端部分を挿着して、中空体１に脚部５を一体化させている。尚、図示を省略するが、下板部２２とボス２２５との間に熱伝導度小の独立気泡発泡体等からなる断熱材が介在する。中空体１から脚部５への湯溜め用お湯９の熱量が熱伝導で逃げるのを防ぐ。符号５１は脚部５の下端部に取着した滑り止め用キャッブを示す。
【００１９】
さらに本実施形態は変位部材４２の調整具６が取付けられる。栓体４５寄りのジャバラ状体４２Ａの下端面に、磁石に吸引される鉄,ニッケル等を含む強磁性体の板片６２を貼着する。そして、該板片６２に対向する下板部２２にネジ穴２２９を形成し、該ネジ穴２２９に螺合するボルト６１の先端に図４ごとくの磁石６３を固着する。ボルト頭６１ｂを回して磁石６３を上下に進退動させることによって、変位部材４２のジャバラ状体４２Ａが温度上昇で排出口２２０へ近づくのを磁石６３の磁力によって促進させたり、或いは逆に抑えて、排出口２２０に封をするジャバラ状体４２Ａのお湯の最低温度を調整できる。いいかえれば、この調整具６によって、風呂用椅子を使用した後に、中空体１内に溜めたお湯９が排出口２２０から流れ始めるそのお湯９の最高温度を微調整できる。
図中、符号２７は円形窪み、符号２８は流し溝で、座面２６ａ上に載ったお湯９を円滑排出させるガイド溝を示す。
【００２０】
次に、本風呂用椅子の一使用方法について述べる。
まず、図２でいえば、その隆起中空部３の注入口３４０を上向き(仰向け)にし、上方側に該注入口３４０がくるよう風呂用椅子を前に倒した状態にして、注入口３４０からお湯９を注ぐ。使用者８は、浴場内で風呂用椅子に座ろうとする前に、蛇口からのお湯９や風呂のお湯９を中空体１内に流し込む。ガイド部３８があるため、お湯９を中空部の空洞１０内に流し込み易い。
その後、中空体１内のお湯９がほぼ満タンになった段階で、風呂用椅子を図３のように使用する状態に置く。ここで、空洞１０を埋めるほどにお湯９を溜め込まなくてもよい。後は、本風呂用椅子の座面２６ａに座って快適に使用できる。
図３は栓体４５が離れた状態で図示するが、設定温度(例えば25℃)を超えるお湯９が入ると、図５のようにバイメタルの曲がり方が変化して栓体４５が自律的に排出口２２０を塞ぐ。中空体１の空洞１０をお湯９で全て満たさなくても、図１,図３のごとく天板部２６を越えて隆起中空部３内にお湯９の湯面９１が現れれば、天板部２６がお湯９と接することになり、座面２６ａは温かい状態を保つ。
【００２１】
そうして、風呂用椅子を使い終わった後は、使用者８はそのまま立ち去って構わない。特段の作業を要しない。中空体１内のお湯９の温度が設定温度以下になると、バイメタルの曲がり方が変化して図５の状態から図４の状態に戻って、排出口２２０から栓体４５が自然と離れて中空体１内のお湯９を該排出口２２０から流す。
【００２２】
このように構成した風呂用椅子は、中空体１の後方立板部２４側を座面２６ａよりも上方へ延在させて高くした隆起中空部３を設け、該隆起中空部３を構成する後方隆起立板部３４の上部域に注入口３４０が形成されるので、この注入口３４０を使って中空体１内へ湯溜め用のお湯９を容易に取込むことができる。しかも、中空体１の空洞１０が埋まるように該注入口３４０からお湯９を目一杯入れなくても、座面２６ａを温めることができる。ある程度の量のお湯９が入れば、図３のように座面２６ａを形成する天板部２６にお湯９が接して、天板部２６のレベルを超えて隆起中空部３内にお湯９の湯面９１が現れる。該湯面９１の上方に中空体１の空洞１０を満たし足りなかった分の空気だまりができるからである。座面２６ａを形成する天板部２６に熱容量大のお湯９が接しており、この温まった座面２６ａに腰掛けて風呂用椅子を快適使用できる。少なくとも本風呂用椅子を使用する時間は、十分に温かい状態が保たれ、浴室で使用するに重宝な風呂用椅子になる。
【００２３】
そして、後方隆起立板部３４の上部域に注入口３４０が設けられており、特許文献２,３のように上向きに口が開いていないので、体を洗った時の汚れたお湯９が入り込まない。また、注入口３４０を形成する後方隆起立板部３４の開口上縁部分に後方へ向けて下方傾斜する庇３７が設けられていると、洗い流したお湯９が体をつたい、さらに後方隆起立板部３４を流れ落ちて、注入口３４０にそのお湯９が入り込もうとしても、庇３７が阻止する。掃除が難しい中空体１の内面が使用によって汚れるのを極力抑えることができる。
【００２４】
加えて、中空体１を構成する下板部２２に排出口２２０が設けられると共に、該排出口２２０を開け閉めできる蓋具４が設けられると、風呂用椅子を使い終わった後、中空体１内に湯溜め用として溜めたお湯９は排出口２２０から簡単に流すことができる。
また、蓋具４が、下板部２２上に設けた取付部材４１に固着されたバイメタルからなる変位部材４２と、該変位部材４２に固着された栓体４５を具備し、設定温度以下で栓体４５が排出口２２０から離れた状態にして、設定温度を超えるとバイメタルの曲がり方が変化して栓体４５が排出口２２０を塞ぐ構成であると、安価な構成にして、風呂用椅子を使い終わった後、中空体１内に溜めて不要になったお湯９をうまく流してくれる。特許文献１〜３は風呂用椅子に保温用として溜めたお湯９を使用者８等が必ず洗い流さなければならず、忘れた時などは中空体１内の壁面が汚れる問題が発生するが、本風呂用椅子はこうした問題を解消できる。中空体１内にお湯９が残って、不衛生な状態にならない。
【００２５】
さらに、取付部材４１が梁部４１１の両端から支柱部４１２を垂下させた正面視冂字状の門型形状にして、両支柱部４１２の下端が前記排出口２２０を跨いで下板部２２上に固着される一方、変位部材４２が前記ジャバラ状体４２Ａを有すると共に、該ジャバラ状体４２Ａの上面側を梁部４１１の下面に固着し、且つ該ジャバラ状体４２Ａの下端面側に栓体４５が排出口２２０に対向するようにして固着された蓋具４にすると、バイメタルによるジャバラ状体４２Ａの伸長度合いを大きく設定できるので、排出口２２０の開け閉めをより確実にできる。
さらにいえば、下板部２２の空洞１０側の内面を排出口２２０に向けてすり鉢状に凹ませると、風呂用椅子を使い終わった後、中空体１内に溜めていたお湯９を綺麗に流し終えることができるので、中空体１内の壁面をより衛生的に保つことができる。
【００２６】
尚、本発明においては前記実施形態に示すものに限られず、目的,用途に応じて本発明の範囲で種々変更できる。中空体１,中空主部２,隆起中空部３,蓋具４,脚部５等の形状,大きさ,個数,材料,材質等は用途に合わせて適宜選択できる。例えば、実施形態の変位部材４２は温度変化により上下方向に伸縮するが、図９のように変位部材４２を温度変化によって水平移動させて、栓体４５が排出口２２０を塞ぐようにしてもよい。ちなみに、図９はバイメタルからなる変位部材４２を棒状に簡略図示するが、ゼンマイのように渦巻き状に巻いて、水平移動の変位を大にする方がより好ましくなる。
【符号の説明】
【００２７】
１            中空体
２            中空主部
２２          下板部
２２０        排出口
２４          後方立板部
２６ａ        座面
３            隆起中空部
３４          後方隆起立板部
３４０        注入口
４            蓋具
４１          取付部材
４２          変位部材
４２Ａ        ジャバラ状体
４２ａ        正面視⊃字状部
４２ｂ        正面視⊂字状部
４５          栓体
５            脚部
９            お湯
【図１】
2019122658.tif 000003
【図２】
2019122658.tif 000004
【図３】
2019122658.tif 000005
【図４】
2019122658.tif 000006
【図５】
2019122658.tif 000007
【図６】
2019122658.tif 000008
【図７】
2019122658.tif 000009
【図８】
2019122658.tif 000010
【図９】
2019122658.tif 000011